【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
式：
【化１】
2017523260.tif 000001
のポリアニオン性シクロデキストリン系化合物であって、式中、
Ｘ（−）は１つ以上の負荷電部分であり、
Ｙ（＋）は１つ以上の対カチオンであり、
Ｌは置換もしくは非置換ポリエチレングリコール（ＰＥＧ）基を含むリンカーであり、
Ｇは結合であるか、エステル、アミド、アミン、硫黄、または置換もしくは非置換１，２，３−トリアゾールであり、
ｐは整数であり、
ＲはＨ、任意選択で置換されたＣ１〜Ｃ１８アルキル基、または任意選択で置換されたＣ１〜Ｃ１８アシル基である、
化合物。
【請求項２】
ｐは６である（α−シクロデキストリンである）、７である（β−シクロデキストリンである）または８である（γ−シクロデキストリンである）、請求項１の化合物。
【請求項３】
Ｘ（−）は−ＳＯ３−、−ＣＯ２−、−ＯＳＯ３−、または−ＯＰＯ３−である、請求項１に記載の化合物。
【請求項４】
Ｙ（＋）は医薬的に許容されるカチオンである、請求項１に記載の化合物。
【請求項５】
Ｙ（＋）はＮａ＋またはＫ＋である、請求項４の化合物。
【請求項６】
Ｇは−Ｓ−、−ＯＣ（Ｏ）−、−ＮＨＣ（Ｏ）−、−ＳＯ−、−ＳＯ２−、または置換もしくは非置換１，２，３−トリアゾール基である、請求項１に記載の化合物。
【請求項７】
Ｇは以下の構造：
【化２】
2017523260.tif 000002
のうちの一方を含む、請求項６に記載の化合物。
【請求項８】
Ｇは結合である、請求項１に記載の化合物。
【請求項９】
Ｌは１つ以上のアルキル基と１つ以上のＰＥＧ基の組み合わせを含む、またはＬはＰＥＧ基の片側または両側に１つ以上のアルキル基が隣接するＰＥＧ基を含む、請求項１に記載の化合物。
【請求項１０】
前記ＰＥＧ基は式：−ＣＨＺ（ＣＨ２ＯＣＨＺ）ｍＣＨ２−のものであり、ここで、ＺはＨまたはＣＨ３であり、ｍは１〜２０である、請求項９に記載の化合物。
【請求項１１】
Ｌは、ポリエチレングリコール（ＰＥＧ）基で置換されたアルキル基、または置換もしくは非置換アルキル基で置換されたポリエチレングリコール（ＰＥＧ）基である、請求項９に記載の化合物。
【請求項１２】
前記１つ以上のアルキル基の少なくとも１つがＣ１〜Ｃ１１アルキル基である、請求項９に記載の化合物。
【請求項１３】
前記アルキル基の少なくとも１つにおいて、ＣＨ２基のうちの１つ以上が原子または官能基に置き換えられている、請求項９に記載の化合物。
【請求項１４】
前記原子または官能基は−Ｏ−、−Ｓ−、−ＳＯ−、−ＳＯ２−、−ＣＯＮＨ−、−ＣＯＯ−、−ＮＺ−または置換もしくは非置換１，２，３−トリアゾールである、請求項１３に記載の化合物。
【請求項１５】
前記原子または官能基は、以下の構造：
【化３】
2017523260.tif 000003
のうちの一方である、請求項１４に記載の化合物。
【請求項１６】
ＲはＨ、任意選択で置換されたＣ１〜Ｃ１８アルキル基、または任意選択で置換されたＣ１〜Ｃ１８アシル基である、請求項１に記載の化合物。
【請求項１７】
式：
【化４】
2017523260.tif 000004
の非イオン性シクロデキストリン系化合物であって、式中、
Ｘ’は１つ以上の中性部分であり、
Ｌは置換もしくは非置換ポリエチレングリコール（ＰＥＧ）基を含むリンカーであり、
Ｇは結合であるか、エステル、アミド、アミン、硫黄、または置換もしくは非置換１，２，３−トリアゾールであり、
ｐは整数であり、
ＲはＨ、任意選択で置換されたＣ１〜Ｃ１８アルキル基、または任意選択で置換されたＣ１〜Ｃ１８アシル基である、
化合物。
【請求項１８】
ｐは６である（α−シクロデキストリンである）、７である（β−シクロデキストリンである）または８である（γ−シクロデキストリンである）、請求項１７に記載の化合物。
【請求項１９】
Ｘ’は置換もしくは非置換アミド、ニトリル基（−ＣＮ）、またはポリヒドロキシル化された残基である、請求項１７に記載の化合物。
【請求項２０】
前記置換もしくは非置換アミドは−ＣＯＮＨ２である、請求項１７に記載の化合物。
【請求項２１】
前記ポリヒドロキシル化された残基は炭水化物である、請求項１７に記載の化合物。
【請求項２２】
Ｇは−Ｓ−、−ＯＣ（Ｏ）−、−ＮＨＣ（Ｏ）−、−ＳＯ−、−ＳＯ２−、または置換もしくは非置換１，２，３−トリアゾール基である、請求項１７に記載の化合物。
【請求項２３】
Ｇは、以下の構造：
【化５】
2017523260.tif 000005
のうちの一方である、請求項２２に記載の化合物。
【請求項２４】
Ｌは１つ以上のアルキル基と１つ以上のＰＥＧ基の組み合わせを含む、またはＬはＰＥＧ基の片側または両側に１つ以上のアルキル基が隣接するＰＥＧ基を含む、請求項１７に記載の化合物。
【請求項２５】
前記１つ以上のＰＥＧ基の少なくとも１つは、式：−ＣＨＺ（ＣＨ２ＯＣＨＺ）ｍＣＨ２−のものであり、ここで、ＺはＨまたはＣＨ３であり、ｍは１〜２０である、請求項２４に記載の化合物。
【請求項２６】
Ｌは、１つ以上のＰＥＧ基で置換されたアルキル基、または１つ以上のアルキル基で置換されたＰＥＧ基を含む、請求項２４に記載の化合物。
【請求項２７】
前記アルキル基はＣ１〜Ｃ１１アルキル基である、請求項２４に記載の化合物。
【請求項２８】
前記アルキル基のＣＨ２基のうちの１つ以上が原子または官能基に置き換えられている、請求項２４に記載の化合物。
【請求項２９】
前記原子または官能基は−Ｏ−、−Ｓ−、−ＳＯ−、−ＳＯ２−、−ＣＯＮＨ−、−ＣＯＯ−、−ＮＺ−、または置換もしくは非置換１，２，３−トリアゾールである、請求項２８に記載の化合物。
【請求項３０】
前記原子または官能基は、以下の構造：
【化６】
2017523260.tif 000006
のうちの一方である、請求項２８に記載の化合物。
【請求項３１】
ＲはＨ、任意選択で置換されたＣ１〜Ｃ１８アルキル基、または任意選択で置換されたＣ１〜Ｃ１８アシル基である、請求項１７に記載の化合物。
【請求項３２】
ｐは６である（α−シクロデキストリンである）、７である（β−シクロデキストリンである）または８であり（γ−シクロデキストリンであり）、
Ｘは−ＣＯ２−または−ＳＯ３−であり、
Ｇは−Ｓ−であり、
Ｌは−（ＣＨ２）ｋ−（ここでｋは１〜１１である）であるか、またはＬは
【化７】
2017523260.tif 000007
（ここでｑは０〜２０であり、ｎは１〜５である）もしくは
【化８】
2017523260.tif 000008
（ここでｌは１〜２０である）であり、
ＲはＨ、任意選択で置換されたＣ１〜Ｃ１８アルキル、または任意選択で置換されたＣ１〜Ｃ１８アシルである、
請求項１に記載のポリアニオン性シクロデキストリン系化合物。
【請求項３３】
ｐは６であり、
Ｌは
【化９】
2017523260.tif 000009
であり、ここで、ｑは０〜２０であり、ｎは１〜５であり、
Ｘは−ＣＯ２−または−ＳＯ３−であり、
ＲはＨ、Ｃ１〜Ｃ１８アルキル、またはＣ１〜Ｃ１８アシルである、
請求項１に記載のポリアニオン性シクロデキストリン系化合物。
【請求項３４】
ｐは７であり、
Ｌは
【化１０】
2017523260.tif 000010
であり、ここで、ｑは０〜２０であり、ｎは１〜５であり、
Ｘは−ＣＯ２−または−ＳＯ３−であり、
ＲはＨ、Ｃ１〜Ｃ１８アルキル、またはＣ１〜Ｃ１８アシルである、
請求項１に記載のポリアニオン性シクロデキストリン系化合物。
【請求項３５】
ｐは８であり、
Ｌは
【化１１】
2017523260.tif 000011
であり、ここで、ｑは０〜２０であり、ｎは１〜８であり、
Ｘは−ＣＯ２−または−ＳＯ３−であり、
ＲはＨ、Ｃ１〜Ｃ１８アルキル、またはＣ１〜Ｃ１８アシルである、
請求項１に記載のポリアニオン性シクロデキストリン系化合物。
【請求項３６】
医薬と、請求項１に記載の化合物と、を含む医薬組成物。
【請求項３７】
請求項１に記載の化合物を含む賦形剤。
【請求項３８】
医薬と、請求項１７に記載の化合物と、を含む医薬組成物。
【請求項３９】
請求項１７に記載の化合物を含む賦形剤。